(57)【特許請求の範囲】
【請求項１】
台枠の奥行方向に多数のストッパ片と所定間隔の差込溝とを交互に形成すると共に該台枠の前記差込溝の両側に同等の高さを有する係止辺が形成されて成り、前記任意の差込溝に差込んだ支持プレートの立設状態をその前後のストッパ片で係止するものであって、前記支持プレートは平面形状が長方形を有すると共に前記差込溝に挿着される厚さを有し、該支持プレートの両側短辺が前記台枠の各差込溝内において両側の係止辺間に挿入される幅を有することによって該支持プレートを任意の差込溝内に縦状に挿着する一方、前記支持プレートの両側長辺が前記台枠の左右の幅よりも大であって前記台枠の差込溝の両側の係止辺に差し込まれる切込溝を有することによって該支持プレートを任意の差込溝内に横状に挿着するようにし、後ろに傾けた商品の前端を任意のストッパ片で係止すると共に該商品の裏面を縦状又は横状に立設された前記支持プレートで支持することによって該商品を所望の表示角度で陳列するようにしたことを特徴とする傾斜陳列台。
【請求項２】
前記夫々のストッパ片が前記差込溝内に形成された連結部で結合されたことを特徴とする請求項１記載の傾斜陳列台。
【請求項３】
前記台枠の前端と後端に曲面状のストッパ枠または平面状のストッパ枠が設けられたことを特徴とする請求項１又は２記載の傾斜陳列台。
【請求項４】
前記台枠の前端と後端とに設けられたストッパ枠の前面に表示カードを挟持する挟持片が形成されたことを特徴とする請求項１、２又は３記載の傾斜陳列台。
【請求項５】
前記台枠の各差込溝の両脇の前後の壁面に係止溝が形成される一方、前記支持プレートの片側短辺と片側長辺とに前記台枠の各差込溝の連結部に嵌合される凹溝が形成されると共に該片側長辺の凹溝の両脇に前記台枠の両側の係止辺に嵌合される切込溝が形成され、さらに前記支持プレートを縦状または横状にして前記台枠の任意の差込溝に差し込んだときに、前記支持プレートの片側短辺の凹溝の両側付近に形成された係止突起または前記片側長辺の凹溝の両側付近に形成された係止突起が前記台枠の係止溝に係止されることによって前記支持プレートの抜け止めとされたことを特徴とする請求項１、２、３又は４記載の傾斜陳列台。
【請求項６】
前記支持プレートを縦状または横状にして前記台枠の任意の差込溝に差し込んだときに、前記支持プレートとの片側短辺の凹溝の少なくとも一側付近または前記片側長辺の凹溝の少なくとも一側付近に形成された押圧突起が前記台枠の差込溝の壁面を押圧することによって前記支持プレートのブレ止めとされたことを特徴とする請求項１、２、３、４又は５記載の傾斜陳列台。
【請求項７】
前記台枠を基台に立設された支柱で支持したことによって該台枠が高い位置に設けられ、該台枠の前記ストッパ片と前記差込溝に差込んだ支持プレートとで傾斜状態に係止した商品を高い位置に陳列可能としたことを特徴とする請求項１、２、３、４、５又は６記載の傾斜陳列台。
【請求項８】
前記基台の前方上面にストッパが突設され、該ストッパに他の台枠に設けられたストッパ片の下側空隙を嵌合することによって他の台枠を前記高い位置に設けられた台枠の前方下側に設置し、前記高い位置に設けられた台枠と前記前方下側に設けられた台枠とに傾斜状態に係止した商品を段状に陳列可能としたことを特徴とする請求項１、２、３、４、５、６又は７記載の傾斜陳列台。
【請求項９】
前記支柱の長さを調節自在としたことによって前記台枠の高さを変えることができるようにしたことを特徴とする請求項７又は８記載の傾斜陳列台。
【発明の詳細な説明】
【０００１】
【発明の属する技術分野】
本発明は、商店等に個々の商品を後ろに傾けた状態で陳列する際、陳列された商品の表示角度を自由に設定することができる傾斜陳列台に関するものである。
【０００２】
【従来の技術】
商店等に設けられた台上に商品を後ろに傾けた状態で陳列する場合、従来は、図１８に示すような陳列台を使用していた。
【０００３】
この陳列台３１は、金属板や合成樹脂板の前側に上向きの係止片３２を折曲形成すると共に、後側に下向きの立脚片３３を折曲形成して成り、その間の傾斜面３４に商品３０を載置して係止片３２に係止させることによって商品３０を後ろに傾けた状態に陳列するものである。
【０００４】
しかしながら、このような従来の陳列台３１は、傾斜面３４の大きさによって陳列し得る商品のサイズがある程度限定され、また、後側の立脚片３３の高さによって固有の表示角度を有するものである。
【０００５】
従って、商品のサイズ或は表示角度を変えたいときは、別の陳列台に取り替える必要があり、さまざまの商品に対応するにはサイズ及び傾斜角度の異なる数種類の陳列台を確保する必要があった。
【０００６】
また、上記の陳列台３１においては、商品の案内表示を行う表示カードのスタンド３５が陳列台３１とは別体に設けられているため、意匠的に統一性を欠き、取り扱いにおいても煩雑になるものであった。
【０００７】
【発明が解決しようとする課題】
本発明は、このような従来の問題点を解消するためになされたもので、一台の陳列台で商品の表示角度を自由に変更することができ、また表示カードを陳列台と一体的に掲示することができる傾斜陳列台を提供することを目的とする。
【０００８】
【課題を解決するための手段】
以上の目的を達成するために、本発明の請求項１の傾斜陳列台は、台枠の奥行方向に多数のストッパ片と所定間隔の差込溝とを交互に形成すると共に該台枠の前記差込溝の両側に同等の高さを有する係止辺が形成されて成り、前記任意の差込溝に差込んだ支持プレートの立設状態をその前後のストッパ片で係止するものであって、前記支持プレートは平面形状が長方形を有すると共に前記差込溝に挿着される厚さを有し、該支持プレートの両側短辺が前記台枠の各差込溝内において両側の係止辺間に挿入される幅を有することによって該支持プレートを任意の差込溝内に縦状に挿着する一方、前記支持プレートの両側長辺が前記台枠の左右の幅よりも大であって前記台枠の差込溝の両側の係止辺に差し込まれる切込溝を有することによって該支持プレートを任意の差込溝内に横状に挿着するようにし、後ろに傾けた商品の前端を任意のストッパ片で係止すると共に該商品の裏面を縦状又は横状に立設された前記支持プレートで支持することによって該商品を所望の表示角度で陳列するようにしたことを特徴とする。
【０００９】
また、本発明の請求項２の傾斜陳列台は、請求項１において、前記夫々のストッパ片が前記差込溝内に形成された連結部で結合されたことを特徴とする。
【００１０】
また、本発明の請求項３の傾斜陳列台は、請求項１又は２において、前記台枠の前端と後端に曲面状のストッパ枠または平面状のストッパ枠が設けられたことを特徴とする。
【００１１】
また、本発明の請求項４の傾斜陳列台は、請求項１、２又は３において、前記台枠の前端と後端とに設けられたストッパ枠の前面に表示カードを挟持する挟持片が形成されたことを特徴とする。
【００１３】
また、本発明の請求項５の傾斜陳列台は、請求項１、２、３又は４において、前記台枠の各差込溝の両脇の前後の壁面に係止溝が形成される一方、前記支持プレートの片側短辺と片側長辺とに前記台枠の各差込溝の連結部に嵌合される凹溝が形成されると共に該片側長辺の凹溝の両脇に前記台枠の両側の係止辺に嵌合される切込溝が形成され、さらに前記支持プレートを縦状または横状にして前記台枠の任意の差込溝に差し込んだときに、前記支持プレートの片側短辺の凹溝の両側付近に形成された係止突起または前記片側長辺の凹溝の両側付近に形成された係止突起が前記台枠の係止溝に係止されることによって前記支持プレートの抜け止めとされたことを特徴とする。
【００１４】
また、本発明の請求項６の傾斜陳列台は、請求項１、２、３、４又は５において、前記支持プレートを縦状または横状にして前記台枠の任意の差込溝に差し込んだときに、前記支持プレートとの片側短辺の凹溝の少なくとも一側付近または前記片側長辺の凹溝の少なくとも一側付近に形成された押圧突起が前記台枠の差込溝の壁面を押圧することによって前記支持プレートのブレ止めとされたことを特徴とする。
【００１５】
また、本発明の請求項７の傾斜陳列台は、請求項１、２、３、４、５又は６において、前記台枠を基台に立設された支柱で支持したことによって該台枠が高い位置に設けられ、該台枠の前記ストッパ片と前記差込溝に差込んだ支持プレートとで傾斜状態に係止した商品を高い位置に陳列可能としたことを特徴とする。
【００１６】
また、本発明の請求項８の傾斜陳列台は、請求項１、２、３、４、５、６又は７において、前記基台の前方上面にストッパが突設され、該ストッパに他の台枠に設けられたストッパ片の下側空隙を嵌合することによって他の台枠を前記高い位置に設けられた台枠の前方下側に設置し、前記高い位置に設けられた台枠と前記前方下側に設けられた台枠とに傾斜状態に係止した商品を段状に陳列可能としたことを特徴とする。
【００１７】
また、本発明の請求項９の傾斜陳列台は、請求項７又は８において、前記支柱の長さを調節自在としたことによって前記台枠の高さを変えることができるようにしたことを特徴とする。
【００１８】
【発明の実施の形態】
以下、本発明の実施例について図面を参照しながら説明する。
【００１９】
本発明による傾斜陳列台の基本構成は、図１に示すように、台枠２の奥行方向に多数のストッパ片３、３…と所定間隔を有する差込溝４、４…とを交互に形成し、任意の差込溝４に支持プレート５を差込んだ立設状態をその前後のストッパ片３、３で係止するようにしたものである。
【００２０】
このような傾斜陳列台について詳細に述べると、台枠２全体は後述する前端と後端に形成された曲面状のストッパ枠６と平面状のストッパ枠７とを含めて合成樹脂の一体成形により形成するほか、金属製あるいは木製等によって形成することも可能である。
【００２１】
図２に示すように、両端に設けられたストッパ枠６、７を除く台枠２の平面形状は奥行方向（図２において左右方向）に長い長方形状に形成されている。
【００２２】
この台枠２は、図２、図３(a) 、図３(b) に示すように、夫々の差込溝４、４…の中央に奥行方向（図２における上下方向）に有幅の平坦な隆起をなす連結部８を形成すると共に、夫々の連結部８を前後のストッパ片３、３に結合してある。また、夫々の連結部８、８…の両側には台枠２の最下底部１２が台枠２の両側の係止辺１０、１０に連続的に結合されるように形成されている。
【００２３】
上記の構成において、差込溝４、４…は、いずれにおいても台枠２の奥行方向（図２における上下方向）に一定の所定間隔を有して形成されている。この差込溝４は、後述する支持プレート５を挿着するものであるため、差込溝４の奥行き幅は支持プレート５の厚さよりもやや大なるものであるが、支持プレート５を差込溝４に挿着した際にガタが生じない程度のものとするのが好ましい。
【００２４】
上記の台枠２の両側の係止辺１０、１０は夫々の差込溝４、４…の両側において前後のストッパ片３、３の上面から凹んだ形状（図３(c) 参照）であって、かつ両側の係止辺１０、１０が同等の高さを有するように形成されている（図４(a) 参照）。
【００２５】
また、図３(c) 、図６、図７に示すように、台枠２の奥行方向の一端には曲面状のストッパ枠６が形成され、他端には平面状のストッパ枠７が形成されている。なお、このような構成において、意匠上の意図から、台枠２の奥行方向の両端に曲面状のストッパ枠６を設けてもよいし、またその両端に平面状のストッパ枠７を設けてもよいが、本実施例のように、少なくとも一端のストッパ枠、例えば曲面状のストッパ枠７の幅を台枠２の両端に突出させた場合、横方向の安定性が増すという効果を有するものである。
【００２６】
また、台枠２の奥行方向の一端に曲面状のストッパ枠６を設け、その他端に平面状のストッパ枠７を設けると、一台の陳列台の前後の向きを変えることによって、曲面状のストッパ枠６を前面に出したり、あるいは平面状のストッパ枠７を前面に出したりすることができ、陳列すべき商品に応じ、意匠性を考慮した使い分けが可能となる。
【００２７】
また、図５に示すように、曲面状のストッパ枠６と平面状のストッパ枠７とのいずれにおいても前面が傾斜面を有して形成され、夫々の略中央下部には表示カードＣを挟持するための挟持片１１が形成されている。
【００２８】
この挟持片１１は曲面状のストッパ枠６または平面状のストッパ枠７の略中央下部から上方に向けた突出形状を形成することによってストッパ枠６、７の傾斜状前面との間に隙間１１ａを形成し、この挟持片１１の隙間１１ａに商品案内等を記載した表示カードＣを挿入することによって該表示カードＣを挟持片１１で保持するようにしたものである。
【００２９】
このような構成により、表示カードＣを陳列台と一体的に掲示することができ、挟持片１１に挿着された表示カードＣによって後方のストッパ枠６または７と台枠２とを隠蔽する効果を有するものである。
【００３０】
一方、図１または図４に示すように、支持プレート５は平面形状が長方形に形成され、両側短辺と両側長辺との中央には上記の台枠２の連結部８の突出形状に対応した凹形状の凹溝５ｂ、５ｂ…が形成されると共に、両側長辺の凹溝５ｂ、５ｂの両側には台枠２の両側の係止辺１０、１０に対応した凹形状の切込溝５ａ、５ａが形成されている。
【００３１】
このような支持プレート５は、図４(a) に示すように、該支持プレート５を横方向にして任意の差込溝４に挿入し、支持プレート５の凹溝５ｂで台枠２の連結部８を回避した状態で支持プレート５の両側の切込溝５ａ、５ａを台枠２の係止辺１０、１０に嵌め込むことによって、該支持プレート５が前後のストッパ片３、３に係止された状態（図６参照）でその横状の立設状態を安定かつ固定状態に保持することができる。
【００３２】
また、支持プレート５は、図４(b) に示すように、該支持プレート５を縦方向にして任意の差込溝４に挿入し、支持プレート５の凹溝５ｂで台枠２の連結部８を回避した状態で支持プレート５を台枠２の係止辺１０、１０内に嵌め込むことによって、該支持プレート５が前後のストッパ片３、３に係止された状態（図７参照）でその縦状の立設状態を安定かつ固定状態に保持することができる。
【００３３】
上記の構成においては、図６または図７（これらの図は支持プレート５を透視した状態で示してある）に示すように、台枠２の任意の差込溝４に差込んだ支持プレート５の立設状態を前後のストッパ片３、３…で挟持した状態に係止することができる。
【００３４】
上記のように形成された傾斜陳列台を使用するには、図８に示すように、商品を陳列する際に所望する表示角度に応じ、いずれの差込溝４に対して支持プレート５を縦状に立てるか、横状に立てるかの選択を行う。通常は、図８において、例えば曲面状のストッパ枠６を前面とした場合、商品３０’の傾斜角度を大にするには支持プレート５’を縦状に立て、平面状のストッパ枠７を前面とした場合、商品３０の傾斜角度を小にするには支持プレート５を横状に立てる。
【００３５】
いずれにしても、後ろに傾けた商品３０または３０’の前端３０ａを任意の前後のストッパ片３、３間に係止すると共に該商品３０または３０’の裏面を立設された支持プレート５または５’で支持することによって該商品を所望の表示角度で陳列することができる。
【００３６】
さらに、支持プレート５は縦状に立てるか横状に立てるかによって支持し得る商品の大きさに対応することができ、台枠２の幅が特定されているものの、支持プレート５の立設状態で商品の大きさに応じた陳列を行うことができる。
【００３７】
また、図９に示すように、ストッパ枠６、７（図９は例として曲面状のストッパ枠６を示している）の挟持片１１に挿着した表示カードＣは、ストッパ枠６、７の前面の傾斜面によって後方へ傾斜した状態に表示されるが、任意の差込溝４に対する支持プレート５または５’の差込位置の如何によっては、支持プレート５’に対して傾斜させた商品３０’のように該商品３０’が表示カードＣに当たる場合もあるが、この場合、支持プレート５のように後方の差込溝４に立てることによって商品３０を同様の傾斜角度で表示することが可能である。
【００３８】
（他の実施例１）
本発明による傾斜陳列台の他の実施例１を説明すると、図１０に示す本実施例の台枠２’の全体構成は図１に示す台枠２と同様であり、台枠２’の奥行方向に横長で上方に突出した多数のストッパ片３、３…とその間において所定間隔を有する差込溝４、４…とを交互に形成すると共に、各台枠２’の差込溝４の両側に同等の高さを有する係止辺１０、１０が形成され、夫々のストッパ片３、３…の間には各差込溝４内に形成された連結部８が形成され、台枠２’の前端と後端に曲面状のストッパ枠６または平面状のストッパ枠７が設けられ、また夫々のストッパ枠６、７の側面中央に表示カードを挟持する挟持片１１が形成されている。
【００３９】
本実施例において、この台枠２’には夫々の差込溝４、４…の各壁面１４に係止溝１５が形成されている。この係止溝１５は、図１３に示すように横長の長方形に形成され、図１１に示すように台枠２’の各差込溝４の両脇の前後の壁面１４、１４に形成されるのが望ましい。その理由は後述する。
【００４０】
また、図１０に示す本実施例の支持プレート５’は、図１の支持プレート５と同様に平面形状が長方形を成し、各差込溝４に挿着される厚さを有するものであり、図示の裏面に形成されたリブによって補強が成されている。
【００４１】
さらに、本実施例の支持プレート５’は、その片側短辺に台枠２’の連結部８に嵌合する凹溝５ｂが形成される一方、支持プレート５’の片側長辺に台枠２’の連結部８に嵌合する凹溝５ｃと該凹溝５ｃの両脇に台枠２’の両側の係止辺１０、１０に嵌合される切込溝５ａ、５ａとが形成されている。
【００４２】
また、本実施例の支持プレート５’の片側短辺の凹溝５ｂの両側付近における両側突出部５ｄ、５ｄの側面と片側長辺の凹溝ｃの両側付近における両側突出部５ｅ、５ｅの側面の夫々には係止突起１６、１６…が形成されている。なお、図１に示す支持プレート５において、短辺側の凹溝５ｂと長辺側の凹溝５ｃは、夫々両側に設けられているが、本実施例においては、夫々片側のみに設けられ、外観上無駄を省いた形状としている。
【００４３】
また、各係止突起１６は、支持プレート５’を任意の差込溝４に差し込んだときに、台枠２’の係止溝１５に納まる細長い形状であって、図１１に示すように支持プレート５’の表面からやや突出した凸形状に形成されている。
【００４４】
なお、図１０に示すように、支持プレート５’の片側短辺の凹溝５ｂの上方表面と片側長辺の凹溝５ｃの上方表面には差込方向を示す差込マーク１８、１８が表示されている。
【００４５】
このような構成により、図１３または図１４に示すように、支持プレート５’を縦状または横状にして台枠２’の任意の差込溝４に差し込んだときに、両側の係止突起１６、１６が台枠２’の両側の係止溝１５、１５に係止されることによって、図１２に示すように支持プレート５’の抜け止めが成される。
【００４６】
なお、上記の支持プレート５’の各係止突起１６、１６…は支持プレート５’の表面のみに形成すればよい。従って、上記のように台枠２’の各差込溝４の両脇の前後の壁面１４、１４に係止溝１５、１５を形成しておけば（図１１参照）、支持プレート５’の差込方向の表裏を特定しなくても、支持プレート５’の係止突起１６を各差込溝４の前後いずれかの係止溝１５に係止することができる。また、図１０に示すように、支持プレート５’の片側短辺の凹溝５ｂの少なくとも一側付近と片側長辺の凹溝５ｃの少なくとも一側付近には押圧突起１７が形成されている。この押圧突起１７は、上記の係止突起１６と形状は同様であるが、両側の係止突起１６、１６のいずれか一方のやや上方に離間して形成されている。ただし、この押圧突起１７は、両側の係止突起１６、１６の夫々のやや上方に離間して形成するようにしてもよい。
【００４７】
このような構成によって、図１２に示すように、支持プレート５’を縦状または横状にして台枠２’の任意の差込溝４に差し込んだときに、支持プレート５’の押圧突起１７が台枠２’の差込溝４の壁面１４を押圧することによって支持プレート５’のブレ止めが成される。
【００４８】
（他の実施例２）
本発明による傾斜陳列台の他の実施例２を説明すると、図１５に示す本実施例の台枠２の構成は図１に示す台枠２と同様であり、この台枠２を基台２０に立設された支柱２１によって支持した構成としている。
【００４９】
即ち、基台２０は金属板等によって形成され、この基台２０の略中央にパイプ状の支柱２１ａが立設されている。そして、このパイプ状の支柱２１ａに細径の支柱２１ｂが挿通されると共に、パイプ状の支柱２１ａの上側部にネジ穴２２が形成され、このネジ穴２２に螺合した調節ネジ２３を調節することによって支柱全体を長さ調節自在としている。
【００５０】
このような支柱２１の長さ調節によって台枠２の高さを自在に変えることができ、この台枠２の下方に図１８のように商品を設ける場合、支柱２１の長さ調節によって台枠２の下方空間を確保することができ、
商品を段状に設けることによって陳列効果をあげることができる。
【００５１】
また、細径の支柱２１ａの上端部には不図示の基板が固着され、該基板に上記の台枠２が固定されたことにより、台枠２は高い位置に設けられる。この台枠２は上記の実施例と同様の構成から成り、図１７に示すように、台枠２のストッパ片と差込溝４に差込んだ支持プレート５とで商品３０を支持することによって傾斜状態にした商品３０を高い位置に陳列することが可能となる。
【００５２】
また、図１５に示すように、基台２０の前方上面にストッパ２５が突設され、図１６に示すように、このストッパ２５に他の台枠２”に設けられたストッパ片３の下側空隙３ａ（図３(ａ)参照）を嵌合することによって他の台枠２”を高い位置に設けられた台枠２の前方下側に設置することができる。
【００５３】
そして、高い位置に設けられた台枠２と前方下側に設けられた台枠２”の夫々のストッパ片３と差込溝４に差込んだ支持プレート５で商品３０を支持することによって傾斜状態に係止した商品３０を段状に陳列することが可能となる。
【００５４】
なお、図１５〜図１７の台枠２は平面状のストッパ枠７を前方に向けているが、これは意匠的な配慮によるもので、円弧状のストッパ枠６を前方に向けてもよい。
【００５５】
【発明の効果】
以上説明したように、本発明の傾斜陳列台は、台枠奥行方向に多数のストッパ片と所定間隔を有する差込溝とを交互に形成し、任意の差込溝に支持プレートを差込んだ立設状態をその前後のストッパ片で係止し、後ろに傾けた商品の前端を任意のストッパ片で係止すると共に該商品裏面を立設された支持プレートで支持することによって該商品を所望の表示角度で陳列することが可能であり、従って一台の陳列台で商品の表示角度を自由に変更することができる。
【００５６】
さらに、本発明における支持プレートは縦状に立てるか横状に立てるかによって支持し得る商品の大きさに対応した陳列を行うことができる。
【００５７】
また、支持プレートは平面形状が長方形を成し、該支持プレートの両側短辺が台枠の差込溝内に挿入される幅を有することによって該支持プレートを任意の差込溝内に縦状に挿着する一方、支持プレートの両側長辺が台枠の左右の幅よりも大であって差込溝の両側の係止辺に差し込まれる切込溝を有することによって該支持プレートを任意の差込溝内に横状に挿着できるようにしてあるため、支持プレートを縦状に立てるか、横状に立てるかによって商品の支持高さを容易に変更することができ、限られたスペースの一台の陳列台において、支持プレートの差込溝の選択と該支持プレートを縦状に立てるか、または横状に立てるか、さらには商品の前端をどの位置のストッパ片に係止するかによって、一台の陳列台上における商品の陳列位置および表示角度をさまざまに変更することができる。
【００５８】
また、台枠の前端と後端に曲面状のストッパ枠または平面状のストッパ枠が設けられているため、いずれのストッパ枠を前面に向けるかによって商品を陳列する際の意匠性を容易に変化させることができる。
【００５９】
さらに、ストッパ枠の前面に表示カードを挟持する挟持片が形成されたことによって、表示カードを陳列台と一体的に掲示することができ、またこのように掲示された表示カードによって後方のストッパ枠と台枠とを隠蔽する効果を有するものである。
【００６０】
また、台枠の各差込溝に係止溝が形成され、支持プレートを縦状または横状にして台枠の任意の差込溝に差し込んだときに、支持プレートの片側短辺の凹溝の両側付近の係止突起または片側長辺の凹溝の両側付近に形成された係止突起が台枠の係止溝に係止されることによって、任意の差込溝に差し込まれた支持プレートの抜け止めとすることができる。
【００６１】
さらに、支持プレートを縦状または横状にして台枠の任意の差込溝に差し込んだときに、支持プレートの片側短辺の凹溝の少なくとも一側付近の押圧突起または片側長辺の凹溝の少なくとも一側付近に形成された押圧突起が台枠の差込溝の壁面を押圧することによって任意の差込溝に差し込まれた支持プレートのブレ止めとすることができる。
【００６２】
また、台枠を基台に立設された支柱で支持したことによって該台枠を高い位置に設けることができ、この台枠のストッパ片と差込溝に差込んだ支持プレートに傾斜状態に係止した商品を高い位置に陳列可能にして、商品の陳列効果を上げることができる。
【００６３】
さらに、基台の前方上面に突設されたストッパに他の台枠に設けられたストッパ片の下側空隙を嵌合することによって、他の台枠を高い位置に設けられた台枠の前方下側に設置すると、高い位置に設けられた台枠と前方下側に設けられた台枠とに商品を傾斜状態に係止して段状に陳列可能とすることができ、陳列スペースを有効に利用することが可能であると共に視覚的変化に富んだ陳列状態とすることができる。
【００６４】
さらにまた、台枠を支持する支柱の長さ調節によって台枠の下方空間を確保することができ、この台枠の下方に他の商品を設置したり、上記のように他の台枠の設置によって商品を段状に設けて陳列効果をあげることが可能となる。
【図面の簡単な説明】
【図１】本発明による傾斜陳列台と差込前の支持プレートを示す全体斜視図である。
【図２】本発明による傾斜陳列台の全体平面図である。
【図３】(a) は図２のＡ−Ａ矢示線断面図であり、(b) は図２のＢ−Ｂ矢示線断面図であり、(c) は図２のＣ−Ｃ矢示線の方向から傾斜陳列台の全体を見た側面図である。
【図４】(a) および(b) は図２のＤ−Ｄ矢示線断面図であって、(a) は支持プレートを差込溝に横状に挿着した状態を示した図であり、(b) は差込溝に支持プレートを縦状に挿着した状態を示した図である。
【図５】本発明による傾斜陳列台の前後端の断面状況を示す部分拡大断面図である。
【図６】本発明による傾斜陳列台において、曲面状のストッパ枠を前方に向けると共に支持プレートを横方向に差し込んで商品を陳列する状況を示した全体斜視図である。
【図７】本発明による傾斜陳列台において、平面状のストッパ枠を前方に向けると共に支持プレートを縦方向に差し込んで商品を陳列する状況を示した全体斜視図である。
【図８】本発明による傾斜陳列台に支持プレートを横方向に差し込んだ場合と縦方向に差し込んだ場合の商品の陳列状況の相違を示す側面図である。
【図９】本発明による傾斜陳列台の端部の状況を示すもので、ストッパ枠の挟持片に挿着された表示カードと商品の陳列状況を示す部分側面図である。
【図１０】本発明における他の実施例１の台枠と支持プレートを示す斜視図である。
【図１１】図１０のＥ−Ｅ矢示線断面図であり、支持プレートを差し込む前の状況を示す。
【図１２】図１０のＥ−Ｅ矢示線断面図であり、支持プレートを差し込んだ状況を示す。
【図１３】図１０のＦ−Ｆ矢示線断面図であり、２点鎖線で示す支持プレートを横状に差し込んだ状況を示す。
【図１４】図１０のＦ−Ｆ矢示線断面図であり、２点鎖線で示す支持プレートを縦状に差し込んだ状況を示す。
【図１５】本発明における他の実施例２の支柱を有する台枠と支持プレートとを示す斜視図である。
【図１６】本発明における他の実施例２の支柱を有する台枠の前方下側に他の台枠を設けた状態を示す斜視図である。
【図１７】本発明における他の実施例２の支柱を有する台枠の前方下側に他の台枠を設けると共に、夫々の台枠に設けた支持プレートによって傾斜状にした商品を段状に陳列した状態を示す斜視図である。
【図１８】従来の陳列台に商品を陳列した状況を示す斜視図である。
【符号の説明】
２…台枠
３…ストッパ片
４…差込溝
５…支持プレート
６…曲面状のストッパ枠
７…平面状のストッパ枠
８…連結部
１０…係止辺
１１…挟持片
１２…台枠の最下底部
２’…台枠
５’…支持プレート
１４…壁面
１５…係止溝
１６…係止突起
１７…押圧突起
１８…差込マーク
２０…基台
２１…支柱
２１ａ…パイプ状の支柱
２１ｂ…細径の支柱
２２…ネジ穴
２３…調節ネジ
２５…ストッパ
３０…商品
【図１】
0003800072.tif 000002
【図２】
0003800072.tif 000003
【図３】
0003800072.tif 000004
【図４】
0003800072.tif 000005
【図５】
0003800072.tif 000006
【図６】
0003800072.tif 000007
【図７】
0003800072.tif 000008
【図８】
0003800072.tif 000009
【図９】
0003800072.tif 000010
【図１０】
0003800072.tif 000011
【図１１】
0003800072.tif 000012
【図１２】
0003800072.tif 000013
【図１３】
0003800072.tif 000014
【図１４】
0003800072.tif 000015
【図１５】
0003800072.tif 000016
【図１６】
0003800072.tif 000017
【図１７】
0003800072.tif 000018
【図１８】
0003800072.tif 000019